(57)【要約】【課題】  本発明は、根の土を極力排除し、確実且つ効率的に雑草抜き作業を可能にする、手軽な振動式草抜き機を提供することを目的とする。【解決手段】  把握部（７）に電池ホルダー（９）を備えたペンチ型本体の挟み部（２）先端に、角度をつけて設置された左右ホールド部（１）を土中に差込むことにより、確実に雑草根（１４）を挟み込むと同時に、振動用モーター（１１）による振動波を根部に伝えて根回りの土壌を弛緩させ、雑草を根ごと容易に引き抜くことを可能にする。【選択図】  図１
2011036229.tif 000002
【特許請求の範囲】
【請求項１】
本発明は、把握部（７）に電池ホルダー（９）を備えたペンチ型本体の先端の、角度をつけて設置された挟み部（２）に、土中に刺入可能に形成されたホールド部（１）を有し、本体前部に振動用モーター（１１）と偏心して取り付けられたおもり（１２）を内蔵する駆動部（３）を設置してなることを特徴とする振動式草抜き機。
【請求項２】
前記振動用モーター（１１）の駆動は、把握部（７）と操作ハンドル部（８）を握ることによって雑草の挟み込みと同時に駆動するよう設けられてなる請求項１に記載の振動式草抜き機。
【発明の詳細な説明】
【技術分野】
【０００１】
本発明は、盆栽や鉢植え或いは小規模な花壇等の除草作業の際に、土の付着が少なく確実で効率的に抜き去ることを可能とする、振動式草抜き機に関するものである。
【背景技術】
【０００２】
従来、盆栽や鉢植え或いは小規模な花壇等の雑草を除去する際には、生育途中のものを対象として、背丈の大小や形状の相違或いはひげ根や主根・側根など根の張り具合の違う雑草を、手で引き抜かざるを得ない。
【０００３】
既存の器具としては、鉤部を土中に刺し入れ梃子を応用して根を浮揚させるものや、ペンチ型の挟み掴んで引き抜くものなどがあるが、何れも確実性に欠け非効率的である。また、引き抜く際に共上がりにより、近接して生える大切な草木の根を傷めてしまう可能性がある。
【先行技術文献】
【特許文献】
【０００４】
【特許文献１】特開平１１−１６８９３４号広報
【特許文献２】特開２００１−３４６４０１号広報
【特許文献２】特開２００１−７８５０１号広報
【発明の概要】
【発明が解決しようとする課題】
【０００５】
従来、盆栽や鉢植え或いは小規模な花壇等の雑草を除去する際には、簡単な器具を用いるか手作業によるしか方法がなく、どちらにしても非効率的であり、手指の怪我・汚損の危険がある。
【０００６】
雑草の種類によっては根部と地上部の境が非常に切れ易く、根を残して抜けてしまうことが多いため、折角除去してもすぐにまた生えてきてしまう。
【０００７】
また、引き抜く際に根周りの土が塊となって上がってくるので、共上がりにより大切な盆栽や鉢植えの草木の根を傷めてしまう可能性がある。
【０００８】
引き抜いた雑草の根周りに付いた土塊はそのまま処分し難く、叩き解して除去するのは手間が掛かる。
【課題を解決するための手段】
【０００９】
上記の課題を解決するために本発明では、把握部（７）に電池ホルダー（９）を備えたペンチ型本体の先端の、角度をつけて設置された挟み部（２）に、土中に刺入可能に形成されたホールド部（１）を有し、本体前部に振動用モーター（１１）と偏心して取り付けられたおもり（１２）を内蔵する駆動部（３）を設置してなることを特徴とする。
【００１０】
本発明に係る振動式草抜き機にあっては、左右ホールド部（１）を雑草を挟む位置で土中に刺入し、把握部（７）と操作ハンドル部（８）を握ることによって雑草を挟み込み、同時に振動モーター（１１）が駆動して振動波を雑草根（１３）に伝える。振動波により根周りの土を弛緩させ、容易に確実に雑草を除去する。
【００１１】
また図５に示す如く、挟み部には地表面（１３）より土中へ刺入可能な形状をなすホールド部（１）を構成し、雑草根（１４）と茎部を同時に挟むことによって確実に雑草を保持し、根を残さずに抜去することを可能とする。
【発明の効果】
【００１２】
本発明にかかる振動式草抜き機は、振動用モーターによる振動波をホールド部を介して雑草根に伝え、振動を掛けながら引き抜くことによって容易に的確に除去することが出来る上、根回りに付着する土も非常に少なくすることができる。
【００１３】
また、本発明にかかる振動式草抜き機はペンチ型の器具であるので、雑草に直接手を触れる必要がなく、手指の怪我や汚れを防ぐことができる上、引き抜きの際の力が少なくて済むので、連続的に効率良く作業をすることができる。
【００１４】
特に盆栽や鉢植え等狭い範囲で除草する場合、根周りの土を付けずに除去できるため、雑草のみを選択的に引き抜くことが可能である。
【００１５】
根周りの土が付かずに抜けるため、周りの必要な草木の根を傷めずに除草作業を進めることが出来る上、抜き取った雑草の処理も簡便である。
【図面の簡単な説明】
【００１６】
【図１】本発明の実施の形態を示す振動式草抜き機の斜視図。
【図２】本発明の実施の形態を示す振動式草抜き機の平面図（ａ）及び側面図（ｂ）。
【図３】本発明の実施の形態を示す振動式草抜き機の正面図。
【図４】一実施形態の振動式草抜き機の使用状態を示す平面図。
【図５】一実施形態の振動式草抜き機の使用状態を示す断面図。
【発明を実施するための形態】
【００１７】
本発明は、根回りの土を極力排除し、確実且つ効率的・選択的な雑草抜き作業を可能とするために、雑草根に振動波を与えながら引き抜くことによって実現するものである。
【実施例】
【００１８】
本発明の実施の形態を表す図１に示すとおり、片側の把握部（７）に電池ホルダー（９）を備えたペンチ型本体の先端の、角度をつけて設置された挟み部（２）に、土中に刺入可能に形成されたホールド部（１）を有してなる。
【００１９】
挟み部（２）と枢支軸（４）の間には、振動用モーター（１１）と偏心して取り付けられたおもり（１２）を内蔵した駆動部（３）を設置し、ホールド部（１）で挟んだ雑草に確実に振動波を伝える構造とする。
【００２０】
ペンチ型本体の左右アーム部にはバネ部材（５）を設置し、左右挟み部の最大開度を規定するとともに、把握後の挟み部の開口を促す。
【００２１】
振動用モーター（１１）の駆動は、ペンチ型本体の左右アーム部の間に設置されたスイッチ（６）により、操作ハンドル部（８）の移動つまり把握開始と同時に成せる構造とする。
【００２２】
駆動部、電池ホルダー及びスイッチを接続するコードには配線カバー（１０）を設置するが、駆動部、配線カバー及び電池ホルダーを含む把握部を一体構造としたカバーとしても良い。
【００２３】
実施に際しては図５に示す如く、地表面（１３）より土中へホールド部（１）を刺入し、雑草根（１４）と茎部を同時に挟むことによって確実に保持し、同時に振動を掛けて根周りの土を弛緩させることによって、容易に抜去する事が可能である。
【符号の説明】
【００２４】
１  ホールド部
２  挟み部
３  駆動部
４  枢支軸
５  バネ部材
６  スイッチ
７  把握部
８  操作ハンドル部
９  電池ホルダー（内蔵）
１０  配線カバー
１１  振動用モーター
１２  おもり
１３  地表面
１４  雑草根
【図１】
2011036229.tif 000003
【図２】
2011036229.tif 000004
【図３】
2011036229.tif 000005
【図４】
2011036229.tif 000006
【図５】
2011036229.tif 000007